(57)【特許請求の範囲】
【請求項１】
乗場で行先階を登録する行先階登録手段と報知手段とを備えた行先呼び登録装置と、
前記行先呼び登録装置の行先呼び登録要求に基づいて割当かごを決定し、呼び割当指令及び割当号機を生成する群管理制御装置と、
前記呼び割当指令に基づいて呼び割当を実施するエレベータ制御装置と、を備え、
前記報知手段は前記割当号機を報知するエレベータシステムであって、
前記報知手段は、行先呼びを登録する使用者が一定時間いない場合に、近傍に乗場行先呼びが割当てられたエレベータがあれば、報知することを特徴とするエレベータシステム。
【請求項２】
前記行先呼び登録装置の近傍に設置され、行先呼びを登録する使用者の有無を検知するセンサを更に備え、
前記センサにより使用者の有無を判断することを特徴とする請求項１に記載のエレベータシステム。
【請求項３】
前記報知手段は、前記割り当てられたエレベータの状態を報知することを特徴とする請求項１または２に記載のエレベータシステム。
【発明の詳細な説明】
【技術分野】
【０００１】
この発明は、乗場で行先呼びを登録すると割当号機が表示されるエレベータシステムに関するものである。
【背景技術】
【０００２】
従来の乗場で行先呼びを登録すると割当号機が表示されるエレベータシステムは、乗場行先呼び登録後に割当号機が乗場操作盤に一定時間表示されるものが開示されている（例えば特許文献１−２参照）。
また、割当号機毎にホールランタンを設置して点灯によりその号機が乗場行先呼びに応えていることを示すものが開示されている（例えば、特許文献３−４参照）。
【先行技術文献】
【特許文献】
【０００３】
【特許文献１】特開平１−２０３１８９号公報（第１０頁右上欄１４行目-１７行目、図４参照）
【特許文献２】国際公開２０１１／０７０６２２号公報（００２９段落、図２参照）
【特許文献３】特開２０００−２７２８５０号公報（００３０段落、００３１段落、図４参照）
【特許文献４】WO２００９／１４１９０１号公報（図２参照）
【発明の概要】
【発明が解決しようとする課題】
【０００４】
しかしながら、上記のようなエレベータシステムでは、割当号機が乗場行先呼び登録後に一定時間しか表示されないため、割当号機が到着するまでに時間を要した場合に、利用者は左右どちらに到着するか忘れてしまい、不安感、焦燥感を感じさせてしまうという問題点があった。
一方、割当号機毎にホールランタンを設置して点灯によりその号機が乗場行先呼びに応えていることを示すものでは、ホールランタン等の機器の追加や配線が必要となるという問題点があった。【０００５】
この発明のエレベータシステムは、乗場で行先階を登録する行先階登録手段と報知手段とを備えた行先呼び登録装置と、行先呼び登録装置の行先呼び登録要求に基づいて割当かごを決定し、呼び割当指令及び割当号機を生成する群管理制御装置と、呼び割当指令に基づいて呼び割当を実施するエレベータ制御装置と、を備え、報知手段は割当号機を報知するエレベータシステムであって、報知手段は、行先呼びを登録する使用者が一定時間いない場合に、近傍に乗場行先呼びが割当てられたエレベータがあれば、報知することを特徴とする。
【課題を解決するための手段】
【０００６】
この発明のエレベータシステムは、乗場で行先階を登録する行先階登録手段と報知手段とを備えた行先呼び登録装置と、行先呼び登録装置の行先呼び登録要求に基づいて割当かごを決定し、呼び割当指令及び割当号機を生成する群管理制御装置と、呼び割当指令に基づいて呼び割当を実施するエレベータ制御装置と、を備え、報知手段は割当号機を報知するエレベータシステムであって、報知手段は、行先呼びを登録する使用者がいない場合に、近傍に乗場行先呼びが割当てられたエレベータがあれば、報知することを特徴とする。
【発明の効果】
【０００７】
この発明にかかるエレベータシステムは、乗場で行先呼びを登録すると割当号機が表示されるエレベータシステムにおいて、ホールランタン等の機器の追加や配線を必要とせず、割当号機を待っている利用者の不安感や焦燥感を取り除くことできるという効果を奏する。
余計な機器や配線を必要とせず、割当号機を待っている利用者の不安を取り除くことできる。
【図面の簡単な説明】
【０００８】
【図１】本発明の実施の形態１におけるエレベータシステムを示す全体構成図である。
【図２】本発明の実施の形態１におけるエレベータシステムの行先呼び登録及びかご状態報知の動作を示すフロー図である。
【図３】本発明の実施の形態１における行先呼び登録時の行先呼び登録装置の一構成例である。
【図４】本発明の実施の形態１における入力待ち状態の行先呼び登録装置の一構成例である。
【図５】本発明の実施の形態１におけるかご状態報知時の行先呼び登録装置の一構成例である。
【発明を実施するための形態】
【０００９】
実施の形態１．
以下、本発明の実施の形態１を図１〜図５を用いて説明する。
【００１０】
図１は、本発明の実施の形態１におけるエレベータシステムを示す全体構成図である。
【００１１】
図において、１０は利用者が行先呼び登録要求を行う行先呼び登録装置である。行先呼び登録装置１０は、利用者が行先呼びを登録する行先呼び登録手段１１と、近傍のエレベータの状態を報知するかご状態報知手段１２を備えている。
【００１２】
２０は複数台のかご群（バンク）を管理制御する群管理制御装置であり、行先呼び登録装置１０で入力された行先階への行先呼びを登録する行先呼び登録手段２１と行先呼び登録装置１０からかご状態報知のための要求があった場合にかご状態を送信するかご状態送信手段２２とを備えている。
【００１３】
３０は各かごを管理制御する各台に設けられた各台制御装置であり、かご制御手段３１を備えている。
【００１４】
ここで、群管理制御装置３０、各台制御装置２０は、例えばマイクロコンピュータ上のソフトウェアにより構成される。
【００１５】
次に、動作について説明する。図２は本実施の形態１の実施のフローチャートである。エレベータの利用者が行先呼び登録装置１０の行先呼び登録手段１１により行先階を入力すると（Ｆ１１）、行先呼び登録装置１０は群管理制御装置２０に行先呼び登録要求を送信する（Ｆ１２）。群管理制御装置２０の行先呼び登録手段２１は行先呼び登録装置１０から行先呼び登録要求を受信すると（Ｆ１３）、割当かごを決定し（Ｆ１４）、行先呼び登録装置１０に割当号機を送信する（Ｆ１５）と共に、各台制御装置に対して呼び割当指令を送信する（Ｆ１６）。
【００１６】
各台制御装置３０のかご制御手段３１は群管理制御装置２０より呼び割当指令を受信すると（Ｆ１７）、呼び割当動作を実施する（Ｆ１８）。また行先呼び登録装置１０は群管理制御装置２０より割当号機を受信すると（Ｆ１９）、割当号機を一定時間利用者に報知する（Ｆ２０）。
【００１７】
ここで図３に行先呼び登録装置１０で行先呼び登録を行った時の画面の一例を示す。図３で示した行先呼び登録装置１０を使用した場合、エレベータの利用者は行先呼び登録装置１０上のテンキー釦で行先階を入力し、画面上に表示された割当号機を確認して、割当号機の近傍でエレベータを待つ。このような行先呼び登録装置１０はエレベータの利用者が順次行先を入力するため、割当号機は一定時間表示されると入力待ちの状態となる。
ここで図４に行先呼び登録装置１０が入力待ちの状態となった時の画面の一例を示す。
行先呼び登録装置１０は一定時間利用者の操作がないと（Ｆ２１）、群管理制御装置２０にかご状態要求を送信する（Ｆ２２）。ここで行先呼び登録装置１０に人感センサを設けて、前記人感センサにより利用者がいないと判断した場合、群管理制御装置２０にかご状態要求を送信するようにしてもよい。
【００１８】
群管理制御装置２０は行先呼び登録装置１０からかご状態要求を受信すると（Ｆ２３）、前記行先呼び登録装置１０の近傍にあるエレベータで、かつ前記行先呼び登録装置設置階からの行先呼びが割当てられている号機のかご状態を、前記行先呼び登録装置１０に送信する（Ｆ２４）。ここで群管理制御装置２０は前記行先呼び登録装置１０の近傍にあるエレベータで、かつ前記行先呼び登録装置設置階からの行先呼びが割当てられていて、かつ、行先呼びが割当てられてから一定時間経過した号機のかご状態のみを、前記行先呼び登録装置１０に送信するようにしてもよい。
【００１９】
行先呼び登録装置１０は群管理制御装置２０からかご状態を受信すると（Ｆ２５）、かご状態を一定時間報知する（Ｆ２６）。
【００２０】
ここで図５に行先呼び登録装置１０でかご状態を報知した時の画面の一例を示す。図５では「Ａ号機が到着します。しばらくお待ちください。」と表示しているが、例えば「Ａ号機は５階に到着中です。１０秒後に到着予定です。」といった表示にして、Ａ号機の位置を報知するようにしてもよいし、「１０階及び１３階行きのＡ号機が到着予定です。」といった表示にして、Ａ号機がどの階への行先呼びに割り当てられている号機を示すようにしてもよい。また画面表示合わせて、同内容を音声で報知するようにしてもよい。
【００２１】
以上のように構成されたエレベータシステムは、乗場で行先呼びを登録し割当号機を表示する行先呼び登録装置と、前記行先呼び登録装置に設けられ、行先呼び登録手段とかご状態報知手段と、を備えたものである。 
【００２２】
このため、行先呼び登録装置以外のホールランタン等の機器の追加や配線を必要とせず、割当号機を待っている利用者の不安感や焦燥感を取り除くことできる
【００２３】
実施の形態で示した構成はあくまでも一例であって、その他の実現方法を排除するものではない。また、上記実施の形態は、一部を省略しても構わない。
【産業上の利用可能性】
【００２４】
本発明は、利用者が乗場で行先呼びを登録すると割当号機が報知されるエレベータシステムに適用することができる。
【符号の説明】
【００２５】
１０  行先呼び登録装置
１１  行先呼び登録手段
１２  かご状態報知手段
２０  群管理制御装置
２１  行先呼び登録手段
２２  かご状態送信手段
３０  各台制御装置
３１  かご制御手段
【図１】
0006583567.tif 000002
【図２】
0006583567.tif 000003
【図３】
0006583567.tif 000004
【図４】
0006583567.tif 000005
【図５】
0006583567.tif 000006